(57)【要約】【課題】  使用期間にわたって引き出したラップフィルムの切断端部が切断時の弾みで収納容器内に巻き戻る現象の起こらないラップフィルムホールダー及びラップフィルム収納容器を提供する。【解決手段】  ラップフィルムホールダー１には、円筒体１１の長手方向の側面に横長の開口部１２が設けられ、円筒体１１の外面に１１円筒体とラップフィルム収納容器４との固着手段１３が設けられている。この円筒体１１の内部に芯に巻かれたラップフィルム２が収納され、ラップフィルム切断端部２１をこの円筒体１１の開口部１２から外に引き出せるようになされている。【選択図】図１
2016078936.tif 000002
【特許請求の範囲】
【請求項１】
上面が開放された容器本体と、その容器本体と一体に設けられた蓋体と、その蓋体の下端に設けられた切断手段とを有するラップフィルム収納容器の中に設置される芯に巻かれたラップフィルムホールダーにおいて、
少なくとも一端が開放された円筒体の長手方向の側面に横長の開口部を設け、前記円筒体の外面に前記円筒体と前記ラップフィルム収納容器との固着手段を設け、この円筒体の内部に、芯に巻かれたラップフィルムを収納し、ラップフィルムをこの円筒体の開口部から外に引き出せるようになされたことを特徴とするラップフィルムホールダー。
【請求項２】
前記円筒体に設けられた開口部の一端部から延設され前記開口部を覆う、押さえ片が設けられていることを特徴とする請求項１記載のラップフィルムホールダー。
【請求項３】
円筒体の長手方向の側面に横長の開口部を設けて容器本体とし、前記開口部を覆うように蓋体が一体に設けられ、その蓋体の下端に切断手段が設けられていることを特徴とするラップフィルム収納容器。
【請求項４】
前記円筒体に設けられた開口部の一端部から延設され前記開口部を覆う、押さえ片が設けられていることを特徴とする請求項３記載のラップフィルム収納容器。
【発明の詳細な説明】
【技術分野】
【０００１】  この発明は、ロール状に巻かれたラップフィルムロールのホールダー及びラップフィルム収納容器に関する。
【背景技術】
【０００２】  ラップフィルム収納容器は、通常ラップフィルムロールを収納する断面が長方形の容器本体と、その容器本体と一体に設けられた蓋体と、その蓋体の下端に設けられた切断手段と、から構成される。使用者は、包装容器から引き出したラップフィルムをその切断手段で切断して使用する。【０００３】  ラップフィルムを切断するときに、引き出したラップフィルムの切断端部が切断時の弾みで包装容器内に巻き戻る。そのため、次の引き出しが困難になるという問題がある。そこで、収納容器を形成する前面板に仮止め部を設けてラップフィルムの係止力を高める方法が知られている。例えば、仮止め部として一定の条件を満たすニス塗布層を設けることが提案されている。（例えば、特許文献１を参照。）
また、包装容器内にラップフィルムの収納ケース（ホールダー）を設け、収納ケースにラップフィルムの巻き戻りを防止する係止構造を設けることが提案されている。（例えば、特許文献２、３参照。）
【先行技術文献】
【特許文献】
【０００４】
【特許文献１】特開２０１４−５０７９号公報
【特許文献２】特開平１１−４９１５２号公報
【特許文献３】特開２００８−３７４９７号公報
【発明の概要】
【発明が解決しようとする課題】
【０００５】  しかし、収納容器本体の前面板に仮止め部としてニス塗布層を設ける技術は、初期の段階では、むしろ係止力が強くてフィルムが離れにくく、使用中には、ニス塗布層が汚れて係止力が弱くなるおそれがある。
また、包装容器内にラップフィルムの収納ケースを設け、収納ケースにラップフィルムの巻き戻りを防止する係止構造を設ける技術は、収納ケースの構造が複雑であり、コストが高くなる。また、係止構造が使用中に変形し、初期の性能を発揮できない可能性がある。【０００６】  そこで、この発明は、ニス層等の仮止め部の必要がなく、構造が簡単で使用に際し、構造の変形の少なく、使用期間にわたって引き出したラップフィルムの切断端部が切断時の弾みで収納容器内に巻き戻る現象の起こらないラップフィルムホールダー及びラップフィルム収納容器を提供することを目的とするものである。【０００７】
【課題を解決するための手段】
【０００８】  以上の目的を達成するために、第１の問題解決手段は、上面が開放された容器本体と、その容器本体と一体に設けられた蓋体と、その蓋体の下端に設けられた切断手段とを有するラップフィルム収納容器の中に設置される芯に巻かれたラップフィルムホールダーにおいて、少なくとも一端が開放された円筒体の長手方向の側面に横長の開口部を設け、前記円筒体の外面に前記円筒体と前記ラップフィルム収納容器との固着手段を設け、この円筒体の内部に、芯に巻かれたラップフィルムを収納し、ラップフィルムをこの円筒体の開口部から外に引き出せるようになされたラップフィルムホールダーである。
前記円筒体は、円筒であることから角柱体に比べて形状は安定しているが、ある程度の剛性を有することが好ましい。【０００９】また、第２の問題解決手段は、前記円筒体に設けられた開口部の一端部から延設され前記開口部を覆う、押さえ片が設けられているラップフィルムホールダーである。【０００１０】  また、第３の問題解決手段は、円筒体の長手方向の側面に横長の開口部を設けて容器本体とし、前記開口部を覆うように蓋体が一体に設けられ、その蓋体の下端に切断手段が設けられているラップフィルム収納容器である。
前記円筒体は、円筒であることから角柱体に比べて形状は安定しているが、ある程度の剛性を有することが好ましい。【００１１】  また、第４の問題解決手段は、前記円筒体に設けられた開口部の一端部から延設され前記開口部を覆う、押さえ片が設けられているラップフィルム収納容器である。【００１２】  上記第１の問題解決手段の作用は次の通りである。つまり、少なくとも一端が開放された円筒体の長手方向の側面に横長の開口部が設けられているため、ラップフィルムホールダーの形状が安定しており、かつ、ラップフィルムが円筒体に沿って横長の開口部から引き出されるので、ラップフィルムの切断端部が切断時の弾みで収納容器内に巻き戻る現象が起こり難い。
また、円筒体の外面にこの筒体と前記ラップフィルム収納容器との固着手段が設けられているので、ラップフィルムホールダーとラップフィルム収納容器が安定して一体化され、使用期間にわたって確実に機能が維持される。【００１３】  また、第２の問題解決手段による作用は、円筒体に設けられた開口部の一端部から延設され前記開口部を覆う、押さえ片が設けられているため、ラップフィルムが円筒体と押さえ片とで保持されるため、切断端部が切断時の弾みで収納容器内に巻き戻る現象をさらに確実に防止できる。【００１４】  また、第３の問題解決手段による作用は、円筒体の長手方向の側面に横長の開口部を設けて容器本体としているため、使用に際してラップフィルム収納容器を手で掴み易くなる。
つまり、箱体のラップフィルム収納容器の場合、容器の角を持つので手の大きさによっては掴みにくく、従ってフィルムを切る時に力が入りにくい等の問題があった。それに対して本発明では、親指を除く４指が当たる面に角が無いので様々な大きさの手の人が掴みやすく、従って力が入りやすいのでフィルムを切りやすいという効果が期待できる。
また、箱体のラップフィルム収納容器に比べて、使用に際して容器本体の形状の安定性が高い。【００１５】  また、第４の問題解決手段による作用は、円筒体に設けられた開口部の一端部から延設され前記開口部を覆う、押さえ片が設けられており、ラップフィルムを円筒体と押さえ片とで保持するため、切断端部が切断時の弾みで収納容器内に巻き戻る現象をさらに確実に防止できる。
【発明の効果】
【００１６】  上述したように、本発明のラップフィルムホールダーは、円筒形であるため、形状が安定しているので使用に際して長期にわたってラップフィルムの切断端部が切断時の弾みで収納容器内に巻き戻る現象が起こり難い。【００１７】  また、本発明のラップフィルム収納容器は、容器本体を掴み易く、形状の安定性が高いため、使い勝手が良い。
【図面の簡単な説明】
【００１８】
【図１】本発明のラップフィルムホールダーを示す斜視図。
【図２】本は発明のラップフィルムホールダーの使用形態を示す断面図。
【図３】本発明のラップフィルムホールダーの第二の実施形態を示す断面図。
【図４】本発明のラップフィルム収納容器の実施形態を示す断面図。
【発明を実施するための形態】
【００１９】  以下、本発明の実施の形態を図１〜図４に基づいて説明する。
【００２０】  この発明のラップフィルムホールダーの実施形態を、図１、図２に基づいて説明する。
図において、１はラップフィルムホールダーである。ラップフィルムホールダー１は、上面が開放された容器本体４１と、その容器本体４１と一体に設けられた蓋体４２と、その蓋体４２の下端に設けられた切断手段４３とを有するラップフィルム収納容器４の中に収納されている。また、ラップフィルムホールダー１には芯に巻かれたラップフィルム２が収納されている。
ラップフィルムホールダー１には、円筒体１１の長手方向の側面に横長の開口部１２が設けられており、この円筒体１１の外面に円筒体１１とラップフィルム収納容器４との固着手段１３が設けられている。この円筒体１１の内部に芯に巻かれたラップフィルム２が収納され、ラップフィルム切断端部２１をこの円筒体１１の開口部１２から外に引き出せるようになされている。
【００２１】  ラップフィルムホールダー１の開口部１２は、ある程度の剛性をもつ筒状に形成されたものの側面に切り込みを入れて形成してもよいし、平板を丸めて両端部に隙間を開けて形成してもよい。
ラップフィルムホールダー１はシート状の材料で容易に形成することができるが、特に紙を使用すると安価に製造ができ、廃棄に際し特別の配慮が不要になるので好ましい。
【００２２】  固着手段１３は必ずしも容器本体４１の底面に設ける必要はなく、容器本体４１の側面に設けてもよい。また、固着手段は物理的な係合を利用してもよいが、両面テープを用いて粘着させてもよい。さらに、接着剤（例えば、住友スリーエムのガミーグルー、森部商店の９５３Ｈ）で接着することもできる。
【００２３】  この発明のラップフィルムホールダーの第２の実施形態を、図３に示す。
ラップフィルムホールダー１Ａを構成する円筒体１１に設けられた開口部１２の一端部から開口部１２を覆う押さえ片１４が延設されている。押さえ片１４は中央部に設けられてもよいし、複数の押さえ片１４を開口部１２の一端部から延設してもよいし、開口部１２の一端部の全辺にわたって設けられてもよい。
また、押さえ辺１４は円筒体１１とは別に作ったものを円筒体１１に固着してもよいし、円筒体１１をそのまま延長する形で形成してもよい。つまり、平板を丸めて両端部が重なるように形成してもよい。特に、押さえ辺１４を開口部１２の一端部の全辺にわたって設けると、製造が非常に容易になるので好ましい。
【００２４】  この発明のラップフィル収納容器の実施形態を、図４に示す。
この発明のラップフィルム収納容器４Ａは、円筒体（容器本体）１１の長手方向の側面に横長の開口部１２を設け、開口部１２を覆うように蓋体４２が円筒体１１と一体に設けられ、その蓋体１１の下端に切断手段４３が設けられている。
また、円筒体１１には開口部１２を覆うように開口部１２の一端部から延設された押さえ片１４Ａが設けられている。この押さえ片１４Ａは開口部１２の一端部の全辺に渡って延設されている。
円筒体１１の内部にラップフィルムロール２が収納され、開口部１２を通じて、開口部１２の他端の上面と押さえ辺１４Ａとに挟まれた状態でラップフィルム切断端部２１が引き出される。
円筒体１１が容器本体であるため、様々な手の大きさの使用者が容易に手で掴んで切ることができる。また、開口部１２の他端の上面と押さえ辺１４とに挟まれた状態でラップフィルム切断端部２１が引き出されるため、切断端部２１が切断時の弾みで収納容器１１内に巻き戻る現象を確実に防止できる。
【産業上の利用可能性】
【００２５】  本発明によれば、簡単な構成でラップフィルムの切断端部が切断時の弾みでラップフィルム収納容器内に巻き戻る現象を確実に防止できるため、ラップフィルムを効率的に使用することができ、資源の節約に資することができる。
【符号の説明】
【００２６】      １      ラップフィルムホールダー
１Ａ    ラップフィルムホールダー
１１    円筒体
１２    開口部
１３    固着手段
１４    押さえ片
１４Ａ  押さえ片
２      ラップフィルムロール
２１    ラップフィルム切断端部
４      ラップフィルム収納容器
４１    容器本体
４２    蓋体
４３    切断手段
４Ａ    ラップフィルム収納容器
【図１】
2016078936.tif 000003
【図２】
2016078936.tif 000004
【図３】
2016078936.tif 000005
【図４】
2016078936.tif 000006